【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
無線通信のための無線送信／受信ユニット（ＷＴＲＵ）において実行される方法であって、
ＷＴＲＵが登録されたことのメッセージをネットワークから受信するステップであって、前記メッセージは、前記ネットワークにアクセスするための第１のネットワークスライス選択支援情報（ＮＳＳＡＩ）を含む、ステップと、
前記受信された第１のＮＳＳＡＩに基づいて、前記ＷＴＲＵと関連付けられたネットワークスライスの組が修正されることになると判定するステップと、
前記受信された第１のＮＳＳＡＩに基づいて、第２のＮＳＳＡＩを更新するステップと、
登録メッセージに含まれることになる前記更新された第２のＮＳＳＡＩの少なくとも一部を判定するステップと、
前記更新された第２のＮＳＳＡＩの少なくとも前記一部を含む前記登録メッセージを送信するステップと、
を備えたことを特徴とする方法。
【請求項２】
前記更新された第２のＮＳＳＡＩは、前記ネットワークスライスの組の少なくとも１つのネットワークスライスによって提供されるサービスのタイプを識別する、ことを特徴とする請求項１に記載の方法。
【請求項３】
前記サービスのタイプは、高度化モバイルブロードバンド（ｅＭＢＢ）サービス、超高信頼性低遅延通信（ＵＲ−ＬＬＣ）サービス、または大規模モノのインターネット（ｍＩｏＴ）サービスのいずれかを含む、ことを特徴とする請求項２に記載の方法。
【請求項４】
前記受信された第１のＮＳＳＡＩは、前記受信された第１のＮＳＳＡＩを使用して前記ネットワークに再登録する前記ＷＴＲＵへのインジケーションを含む、ことを特徴とする請求項１に記載の方法。
【請求項５】
前記第１のＮＳＳＡＩを受信すると、前記ネットワークに確認応答を送信するステップを更に備えた、ことを特徴とする請求項１に記載の方法。
【請求項６】
前記第２のＮＳＳＡＩを更新するステップは、前記第２のＮＳＳＡＩを前記受信された第１のＮＳＳＡＩと置き換えることを含む、ことを特徴とする請求項１に記載の方法。
【請求項７】
前記受信されたメッセージに基づいて、即時登録が必要とされると判定するステップを更に備えた、ことを特徴とする請求項１に記載の方法。
【請求項８】
前記即時登録が必要とされると判定するステップは、前記第１のＮＳＳＡＩを受信した直後、前記修正されたネットワークスライスの組のネットワークスライスに接続するために前記ＷＴＲＵによって使用されることになる前記第１のＮＳＳＡＩを判定することを含む、ことを特徴とする請求項７に記載の方法。
【請求項９】
前記登録メッセージに含まれることになる前記更新された第２のＮＳＳＡＩの少なくとも前記一部を判定するステップは、前記登録メッセージに含まれることになる前記更新された第２のＮＳＳＡＩのタイプを判定するよう、１つまたは複数のポリシをチェックすることを含む、ことを特徴とする請求項１に記載の方法。
【請求項１０】
前記１つまたは複数のポリシは、前記ＷＴＲＵがアクセスすることを許可される１つまたは複数のネットワークスライスのリストに関する情報を含む、ことを特徴とする請求項９に記載の方法。
【請求項１１】
前記登録メッセージは、前記ネットワークのアクセスおよびモビリティ管理機能（ＡＭＦ）と関連付けられた一時識別子なしに送信される、ことを特徴とする請求項１に記載の方法。
【請求項１２】
前記ネットワークスライスの組のネットワークスライスへの接続を確立するよう、アクセスおよびモビリティ管理機能（ＡＭＦ）にコンタクトを取ることを遅延させるステップを更に備えた、ことを特徴とする請求項１に記載の方法。
【請求項１３】
前記ＡＭＦにコンタクトを取ることを遅延させるステップは、前記ネットワークスライスの組の前記ネットワークスライスへの前記接続を確立するよう、前記ＡＭＦにコンタクトを取る前のバックオフタイマの期間にわたり待機することを含む、ことを特徴とする請求項１２に記載の方法。
【請求項１４】
無線送信／受信ユニット（ＷＴＲＵ）であって、
前記ＷＴＲＵが登録されたことのメッセージをネットワークから受信するように構成された受信機であって、前記メッセージは、前記ネットワークにアクセスするための第１のネットワークスライス選択支援情報（ＮＳＳＡＩ）を含む、受信機と、
前記受信された第１のＮＳＳＡＩに基づいて、前記ＷＴＲＵと関連付けられたネットワークスライスの組が修正されることになると判定し、
前記受信された第１のＮＳＳＡＩに基づいて、第２のＮＳＳＡＩを更新し、
登録メッセージに含まれることになる前記更新された第２のＮＳＳＡＩの少なくとも一部を判定する、ように構成されたプロセッサと、
前記更新された第２のＮＳＳＡＩの少なくとも前記一部を含む前記登録メッセージを送信するように構成された送信機と、
を備えたことを特徴とするＷＴＲＵ。
【請求項１５】
前記更新された第２のＮＳＳＡＩは、前記ネットワークスライスの組の少なくとも１つのネットワークスライスによって提供されるサービスのタイプを識別する、ことを特徴とする請求項１４に記載のＷＴＲＵ。
【請求項１６】
前記サービスのタイプは、高度化モバイルブロードバンド（ｅＭＢＢ）サービス、超高信頼性低遅延通信（ＵＲ−ＬＬＣ）サービス、または大規模モノのインターネット（ｍＩｏＴ）サービスのいずれかを含む、ことを特徴とする請求項１５に記載のＷＴＲＵ。
【請求項１７】
前記受信された第１のＮＳＳＡＩは、前記受信された第１のＮＳＳＡＩを使用して前記ネットワークに再登録する前記ＷＴＲＵへのインジケーションを含む、ことを特徴とする請求項１４に記載のＷＴＲＵ。
【請求項１８】
前記送信機は、前記第１のＮＳＳＡＩを受信すると、前記ネットワークに確認応答を送信するように構成されている、ことを特徴とする請求項１４に記載のＷＴＲＵ。
【請求項１９】
前記プロセッサは、前記第２のＮＳＳＡＩを更新するとき、前記第２のＮＳＳＡＩを前記受信された第１のＮＳＳＡＩと置き換えるように構成されている、ことを特徴とする請求項１４に記載のＷＴＲＵ。
【請求項２０】
前記プロセッサは、前記受信されたメッセージに基づいて、即時登録が必要とされると判定するように構成されている、ことを特徴とする請求項１４に記載のＷＴＲＵ。
【請求項２１】
前記プロセッサは、前記第１のＮＳＳＡＩを受信した直後、前記修正されたネットワークスライスの組のネットワークスライスに接続するために前記ＷＴＲＵによって使用されることになる前記第１のＮＳＳＡＩを判定するように構成されている、ことを特徴とする請求項１４に記載のＷＴＲＵ。
【請求項２２】
前記プロセッサは、前記登録メッセージに含まれることになる前記更新された第２のＮＳＳＡＩのタイプを判定するよう、１つまたは複数のポリシをチェックするように構成されている、ことを特徴とする請求項１４に記載のＷＴＲＵ。
【請求項２３】
前記１つまたは複数のポリシは、前記ＷＴＲＵがアクセスすることを許可される１つまたは複数のネットワークスライスのリストに関する情報を含む、ことを特徴とする請求項２２に記載のＷＴＲＵ。
【請求項２４】
前記送信機は、前記登録メッセージは、前記ネットワークのアクセスおよびモビリティ管理機能（ＡＭＦ）と関連付けられた一時識別子なしに登録メッセージを送信するように構成されている、ことを特徴とする請求項１４に記載のＷＴＲＵ。
【請求項２５】
前記プロセッサは、前記ネットワークスライスの組のネットワークスライスへの接続を確立するよう、アクセスおよびモビリティ管理機能（ＡＭＦ）にコンタクトを取ることを遅延させるように構成されている、ことを特徴とする請求項１４に記載のＷＴＲＵ。